(57)【要約】【課題】記録型の光ディスクに関し、クロスイレーズが発生する条件での記録パワーを、正確かつ迅速に選定する方法を提供する。【解決手段】光ディスクの試し書きの領域に、アシンメトリ測定用の記録パターンをレーザパワーを変化させながら記録する。（ステップＳ１）。試し書き領域から信号を再生し、再生信号の波形から、アシンメトリ値を算出する（ステップＳ２）。記録パターンを記録したときのレーザパワーと、算出されたアシンメトリ値との関係からアシンメトリの変化率を求める（ステップＳ３）。求められたアシンメトリ値の変化率が最大値をとるレーザパワーを、光ディスクの記録の際に使用される記録パワーとして設定する（ステップＳ４）。【選択図】　　図３
2004110993.tif 000002
【特許請求の範囲】
【請求項１】
レーザを用いて情報記録媒体に変調符号を記録するためのレーザパワーを選定する、レーザパワーの選定方法であって、
情報記録媒体に所定の信号パターンを記録するステップと、
前記記録された所定の信号パターンを再生し、該再生した所定の信号パターンからアシンメトリを算出するステップと、
前記アシンメトリのレーザパワーに関する変化率を求めるステップと、
前記変化率が最大値をとるレーザパワーを選定するステップとを有することを特徴とするレーザパワーの選定方法。
【請求項２】
前記所定の信号パターンは、記録すべき変調符号における最短マーク長及び最短スペース長よりもそれぞれ長いマーク長及びスペース長をそれぞれ１つ以上有する第１の信号と、記録すべき変調符号における最短マーク長と等しいマーク長と最短スペース長よりも短いスペース長とをそれぞれ複数有する第２の信号とを順次に組み合わせた組合せパターンである、請求項１に記載のレーザパワーの選定方法。
【請求項３】
レーザを用いて情報記録媒体に変調符号を記録するためのレーザパワーを選定する方法であって、情報記録媒体に所定の信号パターンを記録するステップと、該記録された所定の信号パターンを再生し、該再生された所定の信号パターンに基づいてレーザパワーを選定するステップとを有するレーザパワーの選定方法において、
前記所定の信号パターンは、記録すべき変調符号における最短マーク長及び最短スペース長よりもそれぞれ長いマーク長及びスペース長をそれぞれ１つ以上有する第１の信号と、記録すべき変調符号における最短マーク長と等しいマーク長と最短スペース長よりも短いスペース長とをそれぞれ複数有する第２の信号とを順次に組み合わせた組合せパターンであることを特徴とするレーザパワーの選定方法。
【請求項４】
記録すべき変調符号のマーク長及びスペース長がそれぞれ、ｎＴ（ｎは３，４，５，６，７，８，９，１０，１１又は１４、Ｔはチャネルクロック周期）である、請求項３に記載のレーザパワーの選定方法。
【請求項５】
前記第１の信号が、１０Ｔ、１１Ｔ又は１４Ｔのマーク長及びスペース長を有する、請求項４に記載のレーザパワーの選定方法。
【請求項６】
前記第２の信号が、３Ｔのマーク長と２Ｔのスペース長とを有する、請求項４又は５に記載のレーザパワーの選定方法。
【請求項７】
前記レーザパワーを選定するステップは、前記再生された所定の信号パターンからアシンメトリを算出し、該アシンメトリに基づいてレーザパワーを選定する、請求項３から６の何れかに記載のレーザパワーの選定方法。
【請求項８】
前記レーザパワーを選定するステップは、前記アシンメトリから、アシンメトリのレーザパワーに関する変化率を求め、該変化率が最大値をとるレーザパワーを選定する、請求項７に記載のレーザパワーの選定方法。
【請求項９】
請求項３から８の何れかに記載の方法を用いて情報を記録する情報記録媒体であって、前記最短スペース長よりも短いスペース長に関する情報を記録したことを特徴とする情報記録媒体。
【請求項１０】
前記レーザパワーの選定方法を適用するか否かに関する情報を更に記録した、請求項９に記載の情報記録媒体。
【請求項１１】
請求項１から８の何れかに記載の方法を用いて情報を記録する情報記録媒体であって、前記レーザパワーの選定方法を適用するか否かに関する情報を記録したことを特徴とする情報記録媒体。
【請求項１２】
レーザを用いて情報記録媒体に変調符号を記録する情報記録装置において、
情報記録媒体に所定の信号パターンを記録する記録手段と、
前記記録手段によって記録された所定の信号パターンを再生する再生手段と、前記再生手段で再生された所定の信号パターンからアシンメトリを算出し、該アシンメトリのレーザパワーに関する変化率を求める信号処理手段と、
前記変化率が最大値をとるレーザパワーを選定するレーザパワー調整手段とを備えることを特徴とする情報記録装置。
【請求項１３】
レーザを用いて情報記録媒体に変調符号を記録する情報記録装置において、
情報記録媒体に記録すべき変調符号における最短マーク長及び最短スペース長よりもそれぞれ長いマーク長及びスペース長をそれぞれ１つ以上有する第１の信号と、記録すべき変調符号における最短マーク長と等しいマーク長と最短スペース長よりも短いスペース長とをそれぞれ複数有する第２の信号とを順次に組み合わせた組合せ信号パターンを記録する記録手段と、
前記記録手段によって記録された組合せ信号パターンを再生する再生手段と、前記再生手段によって再生された組合せ信号パターンに基づいてレーザパワーを選定するレーザパワー調整手段とを備えることを特徴とする情報記録装置。
【請求項１４】
記録すべき変調符号のマーク長及びスペース長がそれぞれ、ｎＴ（ｎは３，４，５，６，７，８，９，１０，１１又は１４、Ｔはチャネルクロック周期）である、請求項１３に記載の情報記録装置。
【請求項１５】
前記第１の信号が、１０Ｔ、１１Ｔ又は１４Ｔのマーク長及びスペース長を有する、請求項１４に記載の情報記録装置。
【請求項１６】
前記第２の信号が、３Ｔのマーク長と２Ｔのスペース長とを有する、請求項１４又は１５に記載の情報記録装置。
【請求項１７】
前記レーザパワー調整手段は、前記再生された信号からアシンメトリを算出し、該アシンメトリに基づいてレーザパワーを選定する、請求項１３から１６の何れかに記載の情報記録装置。
【請求項１８】
前記レーザパワー調整手段は、前記算出されたアシンメトリから、アシンメトリのレーザパワーに関する変化率を求め、該変化率が最大値をとるレーザパワーを選定する、請求項１７に記載の情報記録装置。
【請求項１９】
請求項９に記載の情報記録媒体に変調符号を記録する情報記録装置であって、前記最短スペース長よりも短いスペース長に関する情報を読み取る情報再生手段を有し、該読み取った情報に基づいてレーザパワーを選定するレーザパワー調整手段を備えることを特徴とする情報記録装置。
【請求項２０】
請求項１０に記載の情報記録媒体に変調符号を記録する際に、前記情報再生手段は、前記レーザパワーの選定方法を適用するか否かに関する情報を読み取り、前記レーザパワー調整手段は、該読み取った情報に基づいて、請求項３から８に記載のレーザパワーの選定方法を採用するか否かを決定する、請求項１９に記載の情報記録装置。
【請求項２１】
前記最短スペース長よりも短いスペース長に関する情報を記憶する記憶装置を備える、請求項１９又は２０に記載の情報記録装置。
【発明の詳細な説明】
【０００１】
【発明の属する技術分野】
本発明は、レーザパワーの選定方法、情報記録媒体、及び、情報記録装置に関し、特に、記録信号から良好な再生信号が得られるように記録パワーを簡易に選定するレーザパワーの選定方法、及び、情報記録装置、並びに、これらに用いる情報記録媒体に関する。
【０００２】
【従来の技術】
現在、ＤＶＤ−Ｒ、ＤＶＤ−ＲＷ、ＤＶＤ＋ＲＷなどの高密度な記録型光ディスクが開発されており、市場に投入されている。これらの記録型光ディスクにレーザ光を照射し、記録を行なう際には、そのレーザ光のパワー（記録パワー）が適正な値でないと、記録した信号の品質が低下することがよく知られている。光ディスクに記録を行なう光ディスク装置では、記録対象の光ディスクの高密度化に伴い、記録に用いるレーザパワーの制御が欠かせない技術となっている。
【０００３】
光ディスク装置では、光ヘッドから照射されるレーザパワーが様々な理由で変動する。このため、例えば工場出荷時に、記録パワーが適切な値となるように設定されている場合であっても、実際に記録を行なう際に、光ディスクに照射されるレーザ光のパワーが適切な値とならないという事態がたびたび発生する。そこで、光ディスク装置では、記録に先立って、ＯＰＣ制御（Ｏｐｔｉｍｕｍ　Ｐｏｗｅｒ　Ｃｏｎｔｒｏｌ）によって記録パワーが適切な値になるように設定し、記録品質を向上させている。
【０００４】
ＯＰＣ制御では、光ディスクの所定の領域に、所定パターンの信号を、レーザパワーを変化させながら記録する試し書きを行ない、この試し書きした信号を再生して得られる情報に基づいて、記録パワーを設定する。ＯＰＣ制御では、再生信号のアシンメトリ値と相関のあるβ値を使用するβ法、或いは、再生信号の信号振幅と相関のあるγ値を使用するγ法が知られており、何れかの方法を採用して、記録パワーが設定される。例えば、特許文献１や特許文献２には、β法を採用してアシンメトリ値を求め、記録パワーを設定する技術が記載されている。
【０００５】
【特許文献１】
特開２００１−２８３４３６号公報
【特許文献２】
特開平１０−２８３６５６号公報
【０００６】
一般的に、信号振幅のみをモニターするγ法と比較して、長いマークと短いマークの関係からアシンメトリ値をモニターするβ法は信頼性が高い。しかし、相変化型のＤＶＤ−ＲＷやＤＶＤ＋ＲＷでＯＰＣ制御を行なう際には、媒体によってはアシンメトリ値がレーザパワーに依存しない、つまり、アシンメトリ値がレーザパワーに対して直線的に変化しない場合もあるため、β法を用いて記録パワーを設定することができず、γ法が採用されることが多い。
【０００７】
【発明が解決しようとする課題】
ところで、相変化型の光ディスクでは、記録トラックに隣接するトラックに既に記録されたマークが消される現象（クロスイレーズ）が発生することが知られている。このクロスイレーズは、レーザパワーが高いほど、発生の度合いが高くなる傾向にある。本発明者は、γ法を用いて記録パワーを設定した場合には、記録トラックに対する書き込みは良好に行なうことができるが、レーザパワーが過大となり、隣接トラックでクロスイレーズが発生するという問題を発見した。つまり、γ法を用いた記録パワーの選定では、隣接トラックに対するクロスイレーズを考慮すると、記録パワーは最適化されていないことになる。
【０００８】
相変化型の光ディスクに記録を行なう際には、クロスイレーズまで考慮した上で、記録パワーを決定することが望ましい。しかし、記録トラックと、そのトラックに隣接するトラックとの双方に記録を行ない、クロスイレーズの影響を調査して記録パワーを決定すると、記録パワーの選定に要する時間が長くなるという欠点がある。従来、相変化型の光ディスクに記録を行なう際に、記録トラックに対する書き込みを良好に行なうことができ、かつ、クロスイレーズの影響が小さい記録パワーを迅速に設定できる方法は知られていなかった。
【０００９】
本発明は、光ディスクの記録に際して、相変化型の光ディスクについても、クロスイレーズの影響が小さく、良好な記録が可能となるように記録パワーを設定でき、かつ、記録パワーの選定に要する時間が増大しないレーザパワーの選定方法、及び、情報記録装置、並びに、これらに用いる情報記録媒体を提供することを目的とする。
【００１０】
【課題を解決するための手段】
上記目的を達成するために、本発明のレーザパワーの選定方法は、レーザを用いて情報記録媒体に変調符号を記録するためのレーザパワーを選定する、レーザパワーの選定方法であって、情報記録媒体に所定の信号パターンを記録するステップと、前記記録された所定の信号パターンを再生し、該再生した所定の信号パターンからアシンメトリを算出するステップと、前記アシンメトリのレーザパワーに関する変化率を求めるステップと、前記変化率が最大値をとるレーザパワーを選定するステップとを有することを特徴とする。
【００１１】
本発明の第１の視点のレーザパワーの選定方法では、情報記録媒体に所定の信号パターンを、レーザパワーを変化させて記録し、記録した信号パターンを読み取って、レーザパワー毎にアシンメトリ値を計算する。算出したアシンメトリ値から、レーザパワーに関する変化率を求め、その変化率（微分値）が最大となるレーザパワーを、情報記録媒体にデータを記録する際に使用する記録パワーとして選定する。本発明者は、相変化型の光ディスクについて、実際に連続トラックに記録を行なってクロスイレーズの影響を調査しなくても、アシンメトリ値の変化率が最大となるレーザパワーを記録パワーとして選定すると、隣接トラック間にクロスイレーズが発生する条件についても、再生信号のジッタが良好となることを発見した。変化率の最大値は、例えば、レーザパワーに関するアシンメトリ値の変化率のグラフを近似曲線で近似し、近似曲線の最大値（極大値）から求めてもよい。
【００１２】
本発明の第１の視点のレーザパワーの選定方法では、前記所定の信号パターンは、記録すべき変調符号における最短マーク長及び最短スペース長よりもそれぞれ長いマーク長及びスペース長を持つ第１の信号と、記録すべき変調符号における最短マーク長と等しいマーク長と最短スペース長よりも短いスペース長とを有する第２の信号とを順次に組み合わせた組合せパターンであることが好ましい。この場合、アシンメトリ値の変化率が最大となるレーザパワーが明確になる。
【００１３】
本発明の第２の視点のレーザパワーの選定方法では、レーザを用いて情報記録媒体に変調符号を記録するためのレーザパワーを選定する方法であって、情報記録媒体に所定の信号パターンを記録するステップと、該記録された所定の信号パターンを再生し、該再生された所定の信号パターンに基づいてレーザパワーを選定するステップとを有するレーザパワーの選定方法において、前記所定の信号パターンは、記録すべき変調符号における最短マーク長及び最短スペース長よりもそれぞれ長いマーク長及びスペース長をそれぞれ１つ以上有する第１の信号と、記録すべき変調符号における最短マーク長と等しいマーク長と最短スペース長よりも短いスペース長とをそれぞれ複数有する第２の信号とを順次に組み合わせた組合せパターンであることを特徴とする。
【００１４】
本発明の第２の視点のレーザパワーの選定方法では、情報記録媒体に所定の信号パターンを、レーザパワーを変化させて記録し、記録した信号パターンを読み取って、情報記録媒体にデータを記録する際に使用する記録パワーを選定する。所定の信号パターンとして、同じ長さのマーク及び同じ長さのスペースで構成される長い周期の第１信号と、短い長さのマーク及び変調符号の最短スペースよりも更に短いスペースで構成される第２信号を順次に組み合わせた組み合わせパターンを採用する。
例えば相変化型の光ディスクに所定信号パターンを記録する場合には、レーザパワーが高くなると、第２信号における短い長さのマークが、第２信号の最短スペースよりも更に短いスペースをあけて次に記録する短い長さのマークにより消される。つまり、タンジェンシャル方向（トラック方向）のクロスイレーズが発生する。本発明者は、このタンジェンシャル方向のクロスイレーズの発生度合いから、ラジアル方向（隣接トラック方向）で発生するであろうクロスイレーズを見積もることができることを発見した。記録パワーは、所定信号パターンの再生信号に基づいて、タンジェンシャル方向のクロスイレーズが発生しない（発生度合いが低い）レーザパワーとして選定できる。
【００１５】
本発明の情報記録装置は、レーザを用いて情報記録媒体に変調符号を記録する情報記録装置において、情報記録媒体に所定の信号パターンを記録する記録手段と、前記記録手段によって記録された所定の信号パターンを再生する再生手段と、前記再生手段で再生された所定の信号パターンからアシンメトリを算出し、該アシンメトリのレーザパワーに関する変化率を求める信号処理手段と、前記変化率が最大値をとるレーザパワーを選定するレーザパワー調整手段とを備えることを特徴とする。
【００１６】
本発明の情報記録装置では、記録手段は、情報記録媒体に所定の信号パターンを複数回レーザパワーを変えて記録し、再生手段は、情報記録媒体に記録された所定の信号パターンを読み取る。信号処理手段は、再生信号からレーザパワー毎にアシンメトリ値を算出し、算出されたアシンメトリ値のレーザパワーに関する変化率を求める。レーザパワー調整手段は、アシンメトリ値の変化率が最大となるレーザパワーを記録パワーとして選定する。情報記録装置がこのように選定した記録パワーで情報記録媒体に記録を行なうと、隣接トラック間にクロスイレーズが発生する条件についても、記録が良好になり、記録した信号の再生信号のジッタが良好となる。なお、本発明の情報記録装置は、記録専用装置と記録再生装置とを含む。
【００１７】
本発明の情報記録装置は、レーザを用いて情報記録媒体に変調符号を記録する情報記録装置において、情報記録媒体に記録すべき変調符号における最短マーク長及び最短スペース長よりもそれぞれ長いマーク長及びスペース長をそれぞれ１つ以上有する第１の信号と、記録すべき変調符号における最短マーク長と等しいマーク長と最短スペース長よりも短いスペース長とをそれぞれ複数有する第２の信号とを順次に組み合わせた組合せ信号パターンを記録する記録手段と、前記記録手段によって記録された組合せ信号パターンを再生する再生手段と、前記再生手段によって再生された組合せ信号パターンに基づいてレーザパワーを選定するレーザパワー調整手段とを備えることを特徴とする。
【００１８】
本発明の情報記録装置では、記録手段は、情報記録媒体に、変調符号における最短マーク長及び最短スペース長よりもそれぞれ長いマーク長及びスペース長を持つ第１の信号と、記録すべき変調符号の最短マーク長と等しいマーク長と最短スペース長よりも短いスペース長とを有する第２の信号とで構成される組み合わせ信号パターンを、複数回レーザパワーを変えて記録し、再生手段は、情報記録媒体に記録された組み合わせ信号パターンを読み取る。レーザパワーを増加させながら組み合わせ信号パターンを記録していくと、あるレーザパワーからは、タンジェンシャル方向のクロスイレーズが発生する。レーザパワー調整手段は、タンジェンシャル方向のクロスイレーズと、ラジアル方向のクロスイレーズとの相関関係から、ラジアル方向のクロスイレーズの発生度合いが低いレーザパワーを割り出し、そのレーザパワーを記録パワーとして選定する。このたえ、情報記録装置は、隣接トラック間にクロスイレーズが発生する条件についても、良好な記録を行なうことができる。
【００１９】
本発明の情報記録装置では、前記レーザパワー調整手段は、前記再生された信号からアシンメトリを算出し、該アシンメトリに基づいてレーザパワーを選定することが好ましい。アシンメトリ値からタンジェンシャル方向のクロスイレーズの発生度合いを検出することができるため、レーザパワー調整手段は、アシンメトリ値に基づいて記録パワーを選定することができる。
【００２０】
本発明の情報記録装置では、前記レーザパワー調整手段は、前記算出されたアシンメトリから、アシンメトリのレーザパワーに関する変化率を求め、該変化率が最大値をとるレーザパワーを選定することが好ましい。アシンメトリ値のレーザパワーに関する変化率が最大となるレーザパワーで記録が良好となるため、レーザパワー調整手段は、そのレーザパワーを記録パワーとして選定するとよい。
【００２１】
本発明のレーザパワーの選定方法及び情報記録装置では、記録すべき変調符号のマーク長及びスペース長を、それぞれ、ｎＴ（ｎは３，４，５，６，７，８，９，１０，１１又は１４、Ｔはチャネルクロック周期）として構成できる。この場合、変調符号は、ＥＦＭｐｌｕｓ変調符号として構成される。
【００２２】
本発明のレーザパワーの選定方法及び情報記録装置では、前記第１の信号が、１０Ｔ、１１Ｔ又は１４Ｔのマーク長及びスペース長を有することが好ましい。所定信号パターンにおける第１の信号部分は、リファレンスとして使用されるため、長い周期の信号として構成されることが好ましい。
【００２３】
本発明のレーザパワーの選定方法及び情報記録装置では、前記第２の信号が、３Ｔのマーク長と２Ｔのスペース長とを有することが好ましい。ＥＦＭｐｌｕｓ変調符号では、所定信号パターンの第２の信号部分における最短スペースよりも更に短いスペースは、３Ｔスペースよりも短いスペースとして構成すればよい。本発明者は、３Ｔスペースよりも更に短いスペースを２Ｔスペースで構成すると、記録パワーの選定の精度が向上することを確認した。
【００２４】
本発明のレーザパワーの選定方法では、前記レーザパワーを選定するステップは、前記再生された所定の信号パターンからアシンメトリを算出し、該アシンメトリに基づいてレーザパワーを選定することが好ましい。タンジェンシャル方向のクロスイレーズが発生すると、そのときのレーザパワーよりも大きなレーザパワーでは、アシンメトリ値の変化が小さくなって、値がほぼ一定となる。このため、アシンメトリ値からタンジェンシャル方向のクロスイレーズの発生度合いを見積もることができ、クロスイレーズが発生する条件についても、アシンメトリ値に基づいて、再生信号のジッタが良好となる記録パワーを選定することができる。
【００２５】
本発明のレーザパワーの選定方法では、前記レーザパワーを選定するステップは、前記アシンメトリから、アシンメトリのレーザパワーに関する変化率を求め、該変化率が最大値をとるレーザパワーを選定することができる。このように記録パワーを選定した場合も、隣接トラック間にクロスイレーズが発生する条件についても、再生信号のジッタが良好となる。
【００２６】
本発明の情報記録媒体は、上記第２の視点のレーザパワーの選定方法を用いて情報を記録する情報記録媒体であって、前記最短スペース長よりも短いスペース長に関する情報を記録したことを特徴とする。
【００２７】
本発明の情報記録媒体では、第２の視点のレーザパワーの選定方法で使用される所定信号パターンの第２信号における最短スペースよりも更に短いスペースの長さを規定する情報を記録する。このため、媒体毎に、最短スペースよりも更に短いスペースの長さを設定することができる。
【００２８】
本発明の情報記録媒体は、上記レーザパワーの選定方法を用いて情報を記録する情報記録媒体であって、上記方法を適用するか否かに関する情報を更に記録したことを特徴とする。
【００２９】
現行の情報記録媒体では、上記レーザパワーの選定方法を適用すると、良好な記録が行なえるが、将来、特性の異なる媒体が開発された場合には、上記方法を採用することが必ずしも好ましいとは限らない。こうした事態に対応するため、媒体上に、上記方法を適用する、或いは、適用しない旨の情報を記録しておくとよい。
【００３０】
本発明の情報記録装置は、上記スペース長に関する情報が記録された情報記録媒体に変調符号を記録する情報記録装置であって、前記最短スペース長よりも短いスペース長に関する情報を読み取る情報再生手段を有し、該読み取った情報に基づいてレーザパワーを選定するレーザパワー調整手段を備えることを特徴とする。
【００３１】
本発明の情報記録装置では、情報再生手段が、組み合わせ信号の第２の信号における最短スペースよりも更に短いスペースに関する情報を情報記録媒体から読み取って、読み取った情報に基づいて第２信号の短いスペースの長さを決定する。このため、情報記録媒体毎に、第２信号の短いスペースの長さを設定して、記録パワーを選定することができる。
【００３２】
本発明の情報記録装置では、上記方法を適用するか否かの情報を記録した情報記録媒体に変調符号を記録する際に、前記情報再生手段は、前記レーザパワーの選定方法を適用するか否かに関する情報を読み取り、前記レーザパワー調整手段が本発明のレーザパワーの選定方法を採用するか否かを決定する構成を採用することができる。例えば、上記各手段が記録パワーを選定することに適さない新たな情報記録媒体には、適用しない旨の情報を記録すれば、上記各手段が記録パワーを選定する情報記録媒体と混在することができる。
【００３３】
本発明の情報記録装置では、前記最短スペース長よりも短いスペース長に関する情報を記憶する記憶装置を備える構成を採用することができる。
【００３４】
【発明の実施の形態】
本発明の詳細な説明に先立って、本発明者が発見した知見について説明する。図１は、アシンメトリ測定用の記録パターンの一例を示している。アシンメトリ値測定用の記録パターンは、例えば、ＤＶＤで通常使用されるＥＦＭｐｌｕｓ変調符号を用いて構成される。同図に示す記録パターンは、従来のβ法により記録パワーを決定する際に用いられる記録パターンと同様である。
【００３５】
一般に、ＥＦＭｐｌｕｓ変調符号では、チャネルクロック周期をＴとすると、ｎＴ（ｎは３，４，５，６，７，８，９，１０，１１又は１４）の長さのマーク及びスペースにより構成される。図１の例では、記録パターンは、同図に示すように、長いマーク及び長いスペースの単一信号（１１Ｔ単一信号）と、短いマーク及び短いスペースの単一信号（３Ｔ単一信号）とから構成される。
【００３６】
図２は、図１に示すパターンを記録した記録媒体の再生信号の特性を実験結果として示している。実験では、記録媒体（ＤＶＤ−ＲＷ）の記録トラックに、図１に示す記録パターンを記録し、これを再生した。記録は、記録トラックに隣接するトラックにも記録を行なう場合（グラフ（ａ））、及び、隣接トラックには記録を行なわない場合（グラフ（ｂ））の双方について行ない、それぞれについて記録信号を再生して再生信号のジッタを測定した。また、グラフ（ｂ）の条件で記録を行った場合の再生信号から、アシンメトリ値（グラフ（ｃ））と、アシンメトリ値の変化率（グラフ（ｄ））とを計算により求めた。
【００３７】
図２に示すように、レーザパワーを９ｍＷから大きくしていくと、記録品質が向上して、再生信号のジッタは減少していく（グラフ（ａ）、（ｂ））。しかし、レーザパワーが１１ｍＷを超えると、グラフ（ａ）では再生信号のジッタが増加し、記録品質が低下する。これは、グラフ（ａ）では、レーザパワーを大きくしていくに従って、隣接トラックのマークが消されるクロスイレーズが発生し、その影響が大きくなるためである。グラフ（ｂ）では、隣接トラックへの記録が行われないため、レーザパワーを大きくしていっても隣接トラック間のクロスイレーズが発生せず、再生信号のジッタはあまり変化しない。
【００３８】
一方、アシンメトリ値は、再生信号の平均信号レベルから算出した。図１に示す記録パターンを再生したときのアシンメトリ値Ａは、Ｖ１を１１Ｔ単一信号の振幅の最大値、Ｖ２を１１Ｔ単一信号の振幅の最小値、Ｖ３を３Ｔ単一信号の振幅の最大値、Ｖ４を３Ｔ単一信号の振幅の最小値として、次式によって定義できる。
【数１】
2004110993.tif 000003
また、アシンメトリ値の変化率は、レーザパワーを順次に増加させたとき、あるレーザパワーにおけるアシンメトリ値と、その１つ前のレーザパワーにおけるアシンメトリ値との差を、レーザパワーの差で割って定義される。
【００３９】
図２において、グラフ（ａ）及び（ｂ）に示す再生信号のジッタが最も低くなっているレーザパワーで、言い換えれば、クロスイレーズが発生し、グラフ（ａ）に示す再生信号のジッタが増加し始める直前のレーザパワーで、アシンメトリ値の変化率が最大値となっていることが判る。このため、アシンメトリ値の変化率をレーザパワー毎に求め、アシンメトリ値の変化率の最大値をサーチすれば、光ディスク上に記録信号が良好に形成されるレーザパワーを得ることができる。本発明者は、このような知見に基づいて本発明を完成するに至ったものである。
【００４０】
以下、図面を参照し、本発明の実施形態例に基づいて、本発明を更に詳細に説明する。図３は、本発明の第１実施形態例のレーザパワーの選定方法における処理の概略を示している。情報記録媒体（光ディスク）に信号を記録する光ディスク装置では、信号の記録に先立って、以下の手順で記録パワーが選定される。
【００４１】
はじめに、光ディスクの試し書きの領域に、アシンメトリ測定用の記録パターンをレーザパワーを変化させながら記録する。（ステップＳ１）。測定用記録パターンを記録した後に、その試し書き領域から信号を再生し、再生信号の波形から、アシンメトリ値を算出する（ステップＳ２）。次いで、記録パターンを記録したときのレーザパワーと、算出されたアシンメトリ値との関係からアシンメトリの変化率を求める（ステップＳ３）。アシンメトリ値の変化率は、レーザパワーの変化量をΔＰとし、アシンメトリ値の変化量をΔＡとすると、
ΔＡ／ΔＰ
で定義される。求められたアシンメトリ値の変化率が最大値をとるレーザパワーを、光ディスクの記録の際に使用される記録パワーとして選定する（ステップＳ４）。選定された記録パワーで光ディスクに記録を行うと、光ディスク上に記録信号が良好に形成され、光ディスクを再生した際の再生信号の品質が向上する。
【００４２】
図４は、上記第一実施形態例のレーザパワーの選定方法を採用した光ディスク装置の構成を示している。光ディスク装置（情報記録再生装置）１０は、対物レンズ１１、レーザダイオード（ＬＤ）１２、ＬＤ駆動回路１３、光検出器１４、記録条件調整機構１５、スピンドル駆動回路１６を備える。
【００４３】
ＬＤ駆動回路１３は、ＬＤ１２の出力を制御する。対物レンズ１１は、ＬＤ１２から出力されるレーザ光を、光ディスク２０の記録面に照射し、光ディスク２０を読み書きする。対物レンズ１１は、自身が照射したレーザ光の反射光を入射し、入射光を光検出器１４に入力する。スピンドル駆動回路１６は、光ディスク２０を回転させる。光検出器１４は、光ディスク２０からの反射光に基づいて、光ディスク２０に記録されたデータを再生する。記録条件調整機構１５は、光検出器１４が再生した再生信号に基づいて、光ディスク２０に記録を行なう際のＬＤ１２の出力である記録パワーを決定する。
【００４４】
記録条件設定機構１５は、記録パワーの決定が必要になると、図３に示して手順に従って、記録パワーを決定し、ＬＤ駆動回路１３に記録パワーを選定する。具体的には、記録条件設定機構１５は、光ディスク２０の所定領域に、例えば図１に示す記録パターンを、ＬＤ駆動回路１３を制御してＬＤ１２の出力を変化させながら数パターン記録する。光検出器１４は、光ディスク２０の所定領域から記録パターンを再生し、再生信号を記録条件設定機構１５に入力する。記録条件設定機構１５は、再生信号からアシンメトリ値を算出し、算出されたアシンメトリ値の、各レーザパワーにおける変化率を求め、求めた変化率の大小関係に基づいて、記録パワーを決定する。
【００４５】
本実施形態例では、上述の知見に基づき、レーザパワーを変化させながら記録したパターンの再生信号からアシンメトリ値を算出してレーザパワーに対するアシンメトリ値の変化率を求め、求めた変化率の最大値を検索して、変化率が最も大きくなるレーザパワーを記録パワーとして選定する。前述のように、アシンメトリ値の変化率が最も大きくなるときに、クロスイレーズが発生する条件で記録を行なった場合についても、再生信号のジッタが最小となる。このため、光ディスク装置１０は、ＬＤ１２の出力を、選定された記録パワーに設定すると、光ディスク２０に良好な記録を行なうことができる。
【００４６】
従来、クロスイレーズが発生する条件で、再生信号のジッタを最小にするレーザパワーを得るためには、実際に記録トラックと隣接トラックとの双方に記録を行ない、隣接トラックへの記録を行なったことで、記録トラックの信号がどのような影響を受けたかを評価しなくてはならなかった。この場合、光ディスク装置は、少なくとも３トラックに記録を行なう必要がある。本実施形態例では、上記のように、隣接トラックに実際に記録を行なうことなく、クロスイレーズが発生する条件での再生信号のジッタを最小にするレーザパワーを得ることができる。つまり、１トラックの１部に記録を行なうだけ、再生信号のジッタが最小となるレーザパワーを得ることができる。このため、光ディスクの記録に際して記録品質が良好になるレーザパワーを、簡易、かつ、高速に選定することができる。
【００４７】
また、従来、ＤＶＤ−ＲＷなどの相変化型の光ディスクでは、アシンメトリ値がレーザパワーに比例しないため、レーザパワーの選定に際してはγ法が採用されることが多かったが、γ法は記録信号の信号振幅をモニターするのみであるため、γ法によって得られる記録パワーの信頼性は低いという問題があった。本実施形態例では、アシンメトリ値の変化率を用いて記録パワーを選定するため、相変化型の光ディスクについても、アシンメトリ値に基づいて記録パワーを選定することが可能になり、選定する記録パワーの信頼性が増す。
【００４８】
実施例１
図４に示す光ディスク装置１０を試作し、上記手順に従ってレーザパワーを選定し、光ディスク（ＤＶＤ−ＲＷ）２０に記録を行なった。試作した光ディスク装置１０には、レーザ波長６５０ｎｍ、開口数（ＮＡ）０．６、及び、光ビーム直径０．９μｍの真円の光ヘッドを用いた。また、１倍速のチャネルクロックは、２６．１６ＭＨｚであり、スピンドル駆動回路１６は、光ディスク２０を、１倍速時に線速度３．４９ｍ／ｓで回転させた。試作した光ディスク装置１０を用いて、ＤＶＤ−ＲＷにレーザパワー調整用として設けられているＰＣＡ（Ｐｏｗｅｒ　Ｃａｌｉｂｒａｔｉｏｎ　Ａｒｅａ）領域に、１シンクフレーム毎にレーザパワーを変更しながら、図１に示したパターンを一括記録した。次いで、ＰＣＡ領域に記録されたパターンを一括再生し、各レーザパワーに対するアシンメトリ値を算出した。
【００４９】
算出されたアシンメトリ値と、レーザパワーとの関係から、アシンメトリ値の変化率を求め、その変化率が最大となるレーザパワーを検索し、そのレーザパワーを記録パワーとして選定した。選定したレーザパワーは１１．８ｍＷであった。比較例として、隣接トラックにも記録を行なって確かめた実際の最適な記録パワーは１１ｍＷであった。これにより、上記実施形態例の方法で求めた記録パワーは、実際の最適な記録パワーと同等であることが確かめられた。
【００５０】
また、ＰＣＡ領域への記録から、記録パワーの選定に要した時間は、ディスク２回転分程度（数ｍｓ程度）で行なうことができ、連続してトラックに記録を行って記録パワーを選定するのと比べて、記録パワーの選定が高速に行なえることが確かめられた。このようにして選定された記録パワーによって、ＤＶＤ−ＲＷの複数トラックに連続して、つまり、クロスイレーズが発生する条件で書き込みを行なった。ＤＶＤ−ＲＷに記録された信号を再生し、再生信号のジッタを測定したところ、ジッタは９％程度と良好な値を示した。
【００５１】
ここで、別の比較例として、γ法を用い、従来の方法でＤＶＤ−ＲＷに対する記録パワーを選定してみた。γ法では、「ＤＶＤブック」等に記載されるように、まず、再生信号の信号振幅（ｍｏｄｕｌａｔｉｏｎ）をレーザパワーで微分して規格化したγ値を求める。次いで、規格化したγ値が、１．５になるときのレーザパワーを求める。求めたレーザパワーを１．２２倍して、そのレーザパワーを記録パワーとして採用する。上記と同じＤＶＤ−ＲＷを用いて、γ法を用いてレーザパワーを選定し、連続記録を行なった。記録された信号のジッタを測定したところ、ジッタは１２％程度であった。上記実施形態例の方法で選定した記録パワーを用いた記録より、特性が悪く、上記実施形態例の方法が従来の記録パワーの決定方法より優れていることが確かめられた。
【００５２】
図５は、本発明の第２実施形態例の光ディスク装置で採用されるアシンメトリ測定用の記録パターンの別の例を示している。本実施形態例は、記録パワーの選定に際して、図１に示す記録パターンに代えて、図５に示す記録パターンを使用する点で、第１実施形態例と相違する。本実施形態例の光ディスク装置は、図４に示す光ディスク装置１０と同様な構成を有する。本発明者は、記録パワーの選定に際して光ディスクの所定領域に記録するアシンメトリ測定用の記録パターンを改良することで、記録パワーの検出精度を格段に向上できることを発見した。
【００５３】
図５に示す記録パターン（以下、特殊記録パターンと呼ぶ）は、図１に示す記録パターンに改良を加えたものである。図１に示す通常の記録パターンは、長いマーク及び長いスペースの単一信号（１１Ｔ単一信号）と、短いマーク及び短いスペースの単一信号（３Ｔ単一信号）とから構成されている。本実施形態例で使用する特殊記録パターンは、短いマーク及び短いスペースの単一信号に代えて、変調符号の中で最も短いマーク長と、最も短いスペース長より更に短いスペース長とで構成される変則信号を使用する。
【００５４】
図５の例では、変則信号は、マーク長としてＥＦＭｐｌｕｓ変調符号の最短マーク３Ｔ、及び、スペース長として最短スペース（３Ｔ）よりも短いスペース２Ｔとで構成される。ここで、２Ｔスペースは、ＥＦＭｐｌｕｓ変調信号の最短スペースである３Ｔスペースより更に短いスペースであり、ＥＦＭｐｌｕｓ変調符号では本来存在しない。
【００５５】
本実施形態例では、光ディスクの所定領域に記録した図５に示す特殊パターンを読み取り、１１Ｔ単一信号、及び、３Ｔマークと２Ｔスペースとからなる信号の平均信号レベルのずれ、つまりアシンメトリ値を算出して、記録パワーを決定する。アシンメトリ値Ａは、Ｖ５を１１Ｔ単一信号の振幅の最大値、Ｖ６を１１Ｔ単一信号の振幅の最小値、Ｖ７を変則信号の振幅の最大値、Ｖ８を変則信号の振幅の最小値として、次式によって定義される。
【数２】
2004110993.tif 000004
【００５６】
図６は、図５に示す特殊記録パターンを記録した記録媒体の再生信号の特性を実験結果として示している。実験では、記録媒体（ＤＶＤ−ＲＷ）の記録トラックに、図５に示す記録パターンを記録し、これを再生した。記録は、記録トラックに隣接するトラックにも記録を行なう場合（グラフ（ａ））、及び、隣接トラックには記録を行なわない場合（グラフ（ｂ））の双方について行ない、それぞれについて記録信号を再生して再生信号のジッタを測定した。また、グラフ（ｂ）の条件で記録を行った場合の再生信号から、アシンメトリ値を計算により求めた（グラフ（ｃ））。
【００５７】
図６を参照すると、図２に示す特性と同様に、レーザパワーを９ｍＷから大きくしていくと、記録品質が向上して、再生信号のジッタは減少していく（グラフ（ａ）、（ｂ））。しかし、レーザパワーが１１ｍＷを超えると、グラフ（ａ）ではクロスイレーズが発生して再生信号のジッタが増加し、記録品質が低下する。一方、グラフ（ｂ）では、クロスイレーズが発生しないため、再生信号のジッタはあまり変化しない。
【００５８】
図６の例では、レーザパワーを大きくしていくと、アシンメトリ値は、あるレーザパワー（１２ｍＷ）を境にほぼ一定の値となり、変化が小さくなっている。アシンメトリ値は、３Ｔマークが大きくなればなるほど（長くなればなるほど）大きな値となることから、あるレーザパワーを境にアシンメトリ値が変化しなくなるということは、それ以上レーザパワーを大きくしても、光ディスクに記録される３Ｔマークが大きくならないということを意味する。
【００５９】
レーザパワーを上げても３Ｔマークが大きくならないのは、ひとつ前に形成された３Ｔマークが、次に形成される３Ｔマークにより若干消されるためである。これは、言い換えると、タンジェンシャル方向（記録トラック方向）でクロスイレーズが発生したとも言うことができる。つまり、光ディスクでは、隣接トラック間で発生するラジアル方向（記録トラックと垂直方向）のクロスイレーズと、同じトラック内で発生するタンジェンシャル方向のクロスイレーズとの双方のクロスイレーズが発生する。
【００６０】
本発明者は、タンジェンシャル方向のクロスイレーズとラジアル方向のクロスイレーズとは相関があり、タンジェンシャル方向のクロスイレーズを見積もることで、ラジアル方向のクロスイレーズを見積もることができることを発見した。また、図６の変則信号中の３Ｔマーク間のスペースを調整することで、タンジェンシャル方向のクロスイレーズ発生の度合いを変化させることができることも発見した。その後、鋭意検討した結果、３Ｔマーク間のスペースが２Ｔ程度であると、タンジェンシャル方向のクロスイレーズからラジアル方向のクロスイレーズを良好に見積もることができるという結論に至った。
【００６１】
図６に示すように、アシンメトリ値がレーザパワーを増加させたときに変化しなくなるレーザパワー（グラフ（ｃ））と、クロスイレーズが発生する条件での再生信号のジッタが最小となるレーザパワー（グラフ（ａ））とがほぼ重なっている。このため、アシンメトリ値がレーザパワーを大きくしても変化しなくなるパワーを記録パワーとして採用すると、光ディスクに良好な記録を行なうことができる。
【００６２】
図７は、図６に示す特性にアシンメトリ値の変化率を重ねて示している。上記したアシンメトリ値がレーザパワーを増加させたときに変化しなくなるレーザパワーは、アシンメトリ値のレーザパワーに関する変化率を求めると容易に検出できる。図６に示すように、アシンメトリ値の変化率が最大値となるレーザパワーで再生信号のジッタが最小となっていることがわかる。図２及び図７のグラフ（ｃ）を相互に比較すると、図７のグラフ（ｃ）の方が、変化率の最大値のピークが格段に明確になっている。このため、第１実施形態例と比較して、再生信号のジッタが最小となる記録パワーの検出精度が向上する。
【００６３】
本実施形態例では、第１実施形態例と同様に、アシンメトリ値の変化率の最大値を検索することで、ラジアル方向のクロストークが発生する条件についても良好な記録が可能な記録パワーを簡易に選定することができる。また、光ディスクの所定領域に記録するアシンメトリ値測定用の記録パターンを、図５に示すような特殊パターンにすることで、第１実施形態例よりもアシンメトリ値の変化率の最大値のピークが明確となり、適切な記録パワーの検出の精度が向上する。
【００６４】
図８は、レーザパワーに対する再生信号の信号振幅（ｍｏｄｕｌａｔｉｏｎ）の特性を示している。参考として、図６及び図７に示す特性が得られるＤＶＤ−ＲＷを記録に際して、従来と同様に、γ法を用いて記録パワーを選定する。γ法を用いた場合には、図８に示すように、規格化したγ値が１．５になるレーザパワー（１１ｍＷ）を１．２２倍して、記録パワー１３．４ｍＷが得られる。
【００６５】
図６及び図７で、レーザパワー１３．４ｍＷのときの再生信号のジッタを見てみると、ラジアル方向のクロスイレーズが発生しない条件（グラフ（ｂ））では再生信号のジッタは最良点付近となっているが、ラジアル方向のクロスイレーズが発生する条件（グラフ（ａ））では、ジッタが大きく、最良点付近から離れている。つまり、従来の方法では、クロスイレーズが発生する条件での記録品質が確保されず、ＤＶＤ−ＲＷで採用されるγ法では、ジッタが少なくなる記録パワーを選定することができないことがわかる。
【００６６】
実施例２
図４に示す構成と同様な光ディスク装置１０を試作し、上記特殊記録パターンを使用して記録パワーを選定して、ＤＶＤ−ＲＷに記録を行なった。試作した光ディスク装置１０では、ＤＶＤ−ＲＷにレーザパワー調整用として設けられているＰＣＡ（Ｐｏｗｅｒ　Ｃａｌｉｂｒａｔｉｏｎ　Ａｒｅａ）領域に、１シンクフレーム毎にレーザパワーを変更しながら、図５に示した特殊記録パターンを一括記録した。次いで、ＰＣＡ領域に記録された特殊記録パターンを一括再生し、各レーザパワーに対するアシンメトリ値を算出した。
【００６７】
算出されたアシンメトリ値と、レーザパワーとの関係から、アシンメトリ値の変化率を求め、その変化率が最大となるレーザパワーを検索し、そのレーザパワーを記録パワーとして選定した。このようにして決定された記録パワーは１１ｍＷであった。比較例として、隣接トラックにも記録を行なって確かめた実際の最適な記録パワーは１１ｍＷであった。これにより、上記実施形態例の方法で求めた記録パワーは、実際の最適な記録パワーと同じとなり、特殊記録パターンを使用することで、第１実施形態例よりも記録パワーの精度が高いことが確かめられた。
【００６８】
また、ＰＣＡ領域への記録から、記録パワーの選定に要した時間は、ディスク２回転分程度（数ｍｓ程度）で行なうことができ、連続してトラックに記録を行って記録パワーを選定するのと比べて、記録パワーの選定が高速に行なえることが確かめられた。このようにして選定された記録パワーによって、ＤＶＤ−ＲＷの複数トラックに連続して、つまり、クロスイレーズが発生する条件で書き込みを行なった。ＤＶＤ−ＲＷに記録された信号を再生し、再生信号のジッタを測定したところ、ジッタは８％程度と良好な値を示し、第１実施形態例よりも良好な記録を行なえたことが確かめられた。
【００６９】
図９は、本発明の第３実施形態例の光ディスク装置の構成を示している。本実施形態例は、図５に示す特殊記録パターンの変則信号における、最短スペース（３Ｔ）よりも短い周期のスペースが、光ディスク２０毎に設定可能に構成される点で、第２実施形態例と相違する。光ディスク装置１０Ａは、図４に示す構成に加えて、更に、スペース情報読取機構１７を備える。
【００７０】
記録対象の光ディスク２０のトラックピッチや媒体の特性によっては、図５に示す特殊記録パターンの変則信号における３Ｔマーク間が、２Ｔスペースとは異なるスペースで構成された方が、精度よく記録パワーを選定できる可能性がある。変則信号における３Ｔマーク間を媒体毎に設定できるようにするため、光ディスク２０の所定の領域には、３Ｔマーク間に形成するスペース長を、スペース情報としてあらかじめ記録しておく。スペース情報読取機構１７は、特殊記録パターンの記録に先立ち、光ディスク２０からスペース情報を読み取り、記録パワーの選定の際に使用する特殊記録パターンを決定する。
【００７１】
図１０は、コード化したスペース情報と３Ｔマーク間のスペースとの対応を表として示している。スペース情報は、例えば、４ビットのデータにコード化され、ディスク固有の情報が書き込まれるディスク情報として光ディスク２０にあらかじめ記録され、スペース情報読取機構１７は、コード化されたスペース情報をデコードして、３Ｔマーク間のスペース長を決定する。図１０の例では、０００１ｂから１１１１ｂに対応して、１Ｔから２．８Ｔまでのスペース長が設定可能となっている。
【００７２】
本実施形態例では、スペース情報が光ディスク２０に記録され、光ディスク装置１０Ａは記録パワーの選定に先立って光ディスク２０からスペース情報を読み出し、特殊記録パターンを決定する。光ディスク２０のトラックピッチや特性に応じたスペース情報を設定することで、光ディスク２０に毎に特殊記録パターンを変更することができ、記録対象の光ディスク２０に適した特殊記録パターンで記録パワーの選定を行うことができる。
【００７３】
実施例３
図１０に示す光ディスク装置１０Ａを試作し、スペース情報が記録されたＤＶＤ−ＲＷに上記手順に従って記録パワーを選定し、ＤＶＤ−ＲＷに記録を行なった。ＤＶＤ−ＲＷとして、第２実施形態例と同様な特性を有する光ディスクを使用したため、特殊記録パターンの変則信号は、３Ｔマークと、２Ｔスペースとで構成されるとよい。このため、ＤＶＤ−ＲＷには、ＬＰＰ（Ｌａｎｄ　Ｐｒｅ−Ｐｉｔ）の空いているところ（ｒｅｓｅｒｖｅｄ）に、４ビットのスペース情報コード０１１０ｂを埋め込んだ。
【００７４】
光ディスク装置１０Ａは、上記したＤＶＤ−ＲＷからスペース情報を読み出し、記録パワーの選定の際にＰＣＡ領域に記録する特殊記録パターンをスペース上方に従って決定する。試作した光ディスク１０Ａは、決定した特殊記録パターンを用いて記録パワーを選定し、選定した記録パワーで上記したＤＶＤ−ＲＷに連続記録を行なった。ＤＶＤ−ＲＷから記録信号を再生したところ、ジッタは、第２実施形態例で試作した光ディスク装置１０で記録したのと同様に、８％程度と良好な値を示した。
【００７５】
現存の光ディスクは、上記実施形態例で示したように、アシンメトリ値の変化率が最大となるレーザパワーを記録パワーとして選定することで、記録信号の再生が良好となるが、今後、上記実施形態例で採用した方法で記録パワーを選定する光ディスク装置を用いて記録される、新たな記録媒体が開発された場合には、新たな記録媒体については、他の方法により記録パワーを選定した方が、記録信号の再生が良好になる可能性がある。このような場合に対応するため、光ディスクに上記方法を適応するか否かの情報を適応情報として記録しておき、光ディスク装置は、読み取った適応情報に応じて、記録パワーを選定する際に使用する方法を切り替え可能に構成されてるとよい。
【００７６】
図１１は、光ディスクに記録されるコード化した適応情報コードと適応可否との対応を表として示している。光ディスクから適応情報を読み取る光ディスク装置は、図１１に示すスペース情報読取機構１７に代えて、又は、これに加えて、適応情報読取機構を備える。適応情報は、例えば４ビットにコード化されて、ディスク固有の情報が書き込まれるディスク情報として光ディスクに、あらかじめ記録され、光ディスク装置は、適応情報コードを読み取って、記録パワーを選定する際に上記実施形態例で説明した方法を採用するか否かを決定する。
【００７７】
適応情報は、例えば、ＤＶＤ−ＲＷのＬＰＰ（Ｌａｎｄ　Ｐｒｅ−Ｐｉｔ）の空いているところ（ｒｅｓｅｒｖｅｄ）に記録される。このように構成することで、記録パワーを選定する際に使用する方法を、記録対象の光ディスクに応じて切り替えることができる。このため、光ディスク装置のメーカは、将来の媒体の特性変化を心配することなく上記方法を光ディスク装置に入れ込むことができ、このことは、媒体メーカ及びドライブメーカ双方にとって大きなメリットとなる。
【００７８】
なお、上記実施形態例では、主に、相変化型光ディスクとしてＤＶＤ−ＲＷを例に挙げて説明したが、他の様々な記録メディアにも使用可能である。例えば、光ディスクとして、ＤＶＤ＋ＲＷや、ＤＶＤ−ＲＡＭを採用しても、記録信号の再生が良好に行なえる。また、光ディスク装置は、現行のＣＤやＤＶＤを記録再生する光ディスク装置として構成されていてもよく、或いは、その他の記録媒体に記録を行う光ディスク装置として構成されてもよい。例えば、光ディスク装置の光ヘッドは、レーザ波長が４０５ｎｍ（青色）であってもよく、開口数ＮＡが０．８５であってもよい。
【００７９】
上記実施形態例では、アシンメトリ測定用の記録パターン（特殊記録パターン）の一部として、１１Ｔ単一信号を使用する例が示されているが、この部分は、１１Ｔ単一信号以外で構成されていてもよい。図１又は図５に示す１１Ｔ単一信号部分は、リファレンス信号として構成され、後続する３Ｔ単一信号、又は、３Ｔマークと２Ｔスペースとから成る信号のレベルをモニターする際のリファレンスレベルとして用いられる。リファレンス信号は、比較的長い周期で構成されていればよいため、１１Ｔ単一信号として構成される部分を、１４Ｔ単一信号や１０Ｔ単一信号に置き換えてもよい。
【００８０】
以上、本発明をその好適な実施形態例に基づいて説明したが、本発明のレーザパワーの選定方法、情報記録媒体、及び、情報記録装置は、上記実施形態例にのみ限定されるものでなく、上記実施形態例の構成から種々の修正及び変更を施したレーザパワーの選定方法、情報記録媒体、及び、情報記録装置も、本発明の範囲に含まれる。例えば、ＥＦＭｐｌｕｓ変調符号以外にも、１−７変調等の他の変調符号を採用してもよい。
【００８１】
【発明の効果】
以上説明したように、本発明の第１の視点のレーザパワーの選定方法、情報記録媒体、及び、情報記録装置は、アシンメトリ値のレーザパワーに関する変化率を求め、その変化率に基づいて記録パワーを選定する。このため、従来アシンメトリ値を使用するβ法採用することができなかった相変化型の情報記録媒体についても、アシンメトリ値に基づいて記録パワーを選定することができる。
また、本発明の第２の視点のレーザパワーの選定方法では、記録パワーの選定の際に情報記録媒体に記録する信号パターンに、変調符号における最短スペースよりも短いスペースを含ませることで、ラジアル方向のクロスイレーズを見積もることができ、隣接トラックにも記録を行なってラジアル方向のクロスイレーズの影響を調べることなく、記録信号の良好な再生が可能な記録パワーを選定できる。このため、従来に比して、記録パワーの選定に要する時間を短縮することができる。
【図面の簡単な説明】
【図１】一般的なアシンメトリ測定用の記録パターンの一例を示す波形図。
【図２】図１に示すパターンを記録した記録媒体の再生信号の特性を実験結果として示すグラフ。
【図３】本発明の第１実施形態例のレーザパワーの選定方法における処理の概略を示すフローチャート。
【図４】本発明の第一実施形態例のレーザパワーの選定方法を採用した光ディスク装置の構成を示すブロック図。
【図５】本発明の第２実施形態例の光ディスク装置で採用されるアシンメトリ測定用の記録パターンの一例を示す波形図。
【図６】図５に示す特殊記録パターンを記録した記録媒体の再生信号の特性を実験結果として示すグラフ。
【図７】図６に示す特性にアシンメトリ値の変化率を重ねて示すグラフ。
【図８】γ法におけるレーザパワーに対する再生信号の信号振幅（ｍｏｄｕｌａｔｉｏｎ）の特性を示すグラフ。
【図９】本発明の第３実施形態例の光ディスク装置の構成を示すブロック図。
【図１０】コード化したスペース情報と３Ｔマーク間のスペースとの対応を示す表。
【図１１】光ディスクに記録されるコード化した適応情報コードと適応可否との対応示す表。
【符号の説明】
１０：光ディスク装置
１１：対物レンズ
１２：ＬＤ
１３：ＬＤ駆動回路
１４：光検出器
１５：記録条件調整機構
１６：スピンドル駆動回路
１７：スペース情報読取機構
【図１】
2004110993.tif 000005
【図２】
2004110993.tif 000006
【図３】
2004110993.tif 000007
【図４】
2004110993.tif 000008
【図５】
2004110993.tif 000009
【図６】
2004110993.tif 000010
【図７】
2004110993.tif 000011
【図８】
2004110993.tif 000012
【図９】
2004110993.tif 000013
【図１０】
2004110993.tif 000014
【図１１】
2004110993.tif 000015